(57)【要約】【課題】伸縮性の乏しい革や合成皮革の手袋を手に着けてゴルフクラブ等を握ったとき、手袋の中の手の圧迫感を解消すること。【解決手段】ゴルフクラブ等を握ると指の関節が曲がり手の甲側の関節が盛り上がるため、伸縮性の乏しい革や合成皮革の手袋の中で圧迫感を感じるようになるのであるから、盛り上がった関節があたる手袋の甲側に切り込み部を入れ開口部分を設けることで切り込み部が上に押し上げられながら少し伸びるので、圧迫感が解消される。【選択図】　　図１
2004089638.tif 000002
【特許請求の範囲】
【請求項１】
主に革や合成皮革の手袋（１）を手に着けたとき、手の甲側の指の関節があたる部分に十字や×字等の切り込み部（２）を設け、開口部分とすることで、革や合成皮革のような伸縮性の小さい手袋（１）を着けてゴルフクラブやバットなどを握る際に、手袋（１）が伸びなくても切り込み部（２）から指の関節が少し押し出されるとともに、切り込み部（２）が少し伸びることにより圧迫感が小さくなり、スムーズにゴルフクラブやバットを握りプレーすることができるように為された手袋。
【発明の詳細な説明】
【０００１】
【発明の属する技術分野】
本発明は、スポーツやフィッシングの際の特にゴルフクラブやバットや竿を握る際に、伸縮性の小さい革や合成皮革の手袋を手に着けたとき、指の関節を伸ばしたり曲げたりすると、手袋の伸縮性が小さいため曲げた指が圧迫感を受けてしまうのであるが、これを解消するために指の関節のあたる手の甲側の部分に十字や×字等の切り込みを入れて開口部分を設けた手袋に関する。
【０００２】
【従来の技術】
従来、革や合成皮革の手袋を着けてゴルフクラブやバットを握りプレーするときは、指の関節を曲げたときにかかってくる圧迫感に負けないように無理やり逆らって強く握ったり、自分の手の大きさより大き目の手袋をして解消せざるを得なかった。また、手袋の関節部分を丸くくり抜いた手袋もあるが、これだと常に手の甲側の指の関節がむき出しになっているため見栄えが悪く、冬場は関節が寒く、何より、むき出しになっているので擦傷しやすかった。
【０００３】
【発明が解決しようとする課題】
スポーツやフィッシングで使用される手袋は、握ったり、掴んだりしたゴルフクラブやバットや竿を滑りにくくするため革や合成皮革を使用しているが、革や合成皮革は伸縮性に乏しいため手袋を手に着けたままゴルフクラブやバットを握ると曲げた関節の動きに対して逆に真っ直ぐな元の状態に戻ろうとする力が手袋に働き、曲げた指の関節に圧迫感が生じ無理やり圧迫感に逆らってゴルフクラブやバットを強く握りプレーしなければならず余分な力を入れないといけなかった。革や合成皮革の良さを生かしつつ、関節を曲げても圧迫感がなくスムーズにゴルフクラブやバットを握れ、なおかつ、擦傷や寒さを緩和するため関節をむき出しにしない手袋が求められていた。
【０００４】
【課題を解決するための手段】
本発明は、革や合成皮革の手袋を手に着けたとき、手の甲側の指の関節があたる部分に十字や×字等の切り込みを入れ開口部分を設けることにより、伸縮性の小さい革や合成皮革を手に着け、ゴルフクラブやバットを握って指の関節を曲げたときでも、手の甲側から外へ盛り上がった関節を切り込み部から少し頭を出させることと、切り込み部が少し伸びることで、革や合成皮革を手に着けてゴルフクラブやバットを握っても圧迫感を受けずにスムーズに握ることができるようになるのであり、切り込みは、十字や×字等で入れているだけで、常に指の関節がむき出しになっているわけではないので、擦傷や寒さに対して、従来の開口部分をくり抜いて指の関節がむき出しになっている手袋より有利に働くのである。
【０００５】
【発明の実施の形態】
本発明は、伸縮性の小さい革や合成皮革を手に着けても圧迫感を受けずにスムーズにゴルフクラブ等を握りプレーできるように、手袋の甲側の指の関節があたる部分に切り込み部を入れ、開口部分を設けた手袋である。
【０００６】
切り込み部は、革や合成皮革の手袋を手に着けたとき、手の甲側の指の関節があたる部分に設けると圧迫感が小さくなり効果的であるので、伸縮性の小さい革や合成皮革を手に着け、ゴルフクラブ等を握ったとき、手袋の中の手の圧迫感を解消するためにゴルフクラブ等を握ったとき曲がって盛り上がる指の関節にあたる手袋の位置に設けると効果的である。
【０００７】
手袋を着けてゴルフクラブ等を握ったとき、関節が曲がって盛り上がる部分は、親指の一つの関節と人差し指・中指・薬指・小指のそれぞれ二つずつの関節と、それぞれの指の付け根に５ヶ所あり、合計１４ヶ所関節があるので、手袋の甲側に切り込み部を設けるときは、ひとつの手袋につき、最大で１４ヶ所設けることができる。
【０００８】
切り込み部を設けるときの数は、いくつ設けても良いが、ゴルフクラブ等を握ったとき、手袋の中で曲がる関節は１４ヶ所であるので、一つの手袋につき、最大１４ヶ所設けると、ゴルフクラブ等を握ったとき手袋入れた手指への圧迫感が小さくなり効果的であるが、ゴルフクラブ等を強く握りしめている時間は短いので、あまり窮屈と感じない人差し指・中指・薬指・小指の第１関節にあたる部分のように切り込み部を設けない箇所があっても良いのである。
【０００９】
手袋を手に着けたとき、指先が切れている手袋があるが、この場合も、ゴルフクラブ等を握ったとき各指の付け根の関節に圧迫感を感じるので、伸縮性の小さい手袋であれば切り込み部を設けることで窮屈さが解消され効果的である。
【００１０】
切り込み部は、手袋を手に着けたとき、甲側の部分を貫通させて切り込み部を入れることにより、伸縮性の小さい革や合成皮革を手に着けてゴルフクラブ等を握っても手袋に入れた手指への圧迫感が小さくなり効果的である。
【００１１】
設ける切り込み部の形は、１本の直線や曲線で切り込み部を入れるよりも、主に２本の直線をクロスさせた十字や×字のように設けた方が、ゴルフクラブ等を握ったとき、指の関節が盛り上がっても手袋の中で圧迫感が小さくなるので効果的であるが、他に、複数本の直線や曲線をクロスさせたり、並行的に並べても同様に圧迫感が小さくなるので効果的であり、手袋を着けたとき、関節部分を円形にくり抜いた手袋に比べて、切り込み部から手袋内部の手の甲の一部がむき出しにならないので効果的である。
【００１２】
切り込み部は、設ける場所により関節の大きさが違うので、必ずしも同じ長さ、同じ形状でなくても良いのである。
【００１３】
切り込み部として切り込みを入れるときの長さは、ゴルフクラブ等を握った際に、それぞれの指の関節が盛り上がった大きさで決めれば良く、すべて同じ長さにしなくても良いのである。
【００１４】
また、切り込み部の長さは、短すぎると手袋を手に着けてゴルフクラブ等を握ったときの圧迫感が解消されず、長すぎるとゴルフクラブ等を握ってゴルフボールを打つときなど手と手袋の間に余裕ができすぎ手袋がズレやすくなるので、ゴルフクラブを握ってゴルフボールを打つときなどのプレー時に、手袋の中の手の圧迫感を解消する目的で切り込み部の長さを決めると効果的である。
【００１５】
革や合成皮革の片手にだけ、着ける手袋の場合は、必ず切り込み部を設けなければ効果はないが、両手に着ける手袋の場合も、両手に着ける手袋両方に切り込み部を設けた方が効果的であるが、両手に着ける手袋の場合は、必要に応じて一方の手袋だけに設けても良いのである。
【００１６】
両手の手袋に切り込み部を設ける場合、切り込み部を設ける数、切り込み部の形状や長さは、左右同じにしても、同じにしなくてもどちらでも良いのである。
【００１７】
切り込み部を入れたあとで、ゴム紐で縫合すると、ゴルフクラブ等を握ったときの圧迫感が解消されるだけでなく、切り込み部を入れた部分がめくれるのを防ぐことができ効果的である。
【００１８】
【実施例】
実施例について図面を参照して説明すると、図１において、伸縮性の乏しい革や合成皮革を素材とする手袋（１）を片手に着けたとき、５本の指の関節があたる手袋（１）の甲の部分に、主に２本の直線をクロスさせた十字の切り込み部（２）を１４カ所設けたときの実施例図である。
【００１９】
図２では、左手の手袋（１）の甲側のすべての関節に切り込み部（２）を設けた手袋（１）を左手に着けたときの状態を示す図であり、図３では、図２で示した切り込み部（２）を設けた伸縮性の乏しい革や合成皮革の手袋（１）を左手に着け、ゴルフクラブ（３）を握ったときの内容を示しており、ゴルフクラブ（３）を握ると手の指の関節が内側に曲がり手の甲側に関節が盛り上がるため、盛り上がった指の関節の上にある手袋（１）の甲側を上に持ち上げるため、手袋（１）の内部の手は圧迫され窮屈な状態になるが、盛り上がった指の関節の上にある手袋（１）の甲側に切り込み部（２）を設けることにより、ゴルフクラブ（３）を握っても切り込み部（２）が持ち上げられながら少し伸びるため、手袋（１）内部の手は圧迫感を感じなくなるのである。
【００２０】
切り込み部（２）を設けたあと、開口部分をゴム紐（４）等で縫合しても良いのである。
【００２１】
切り込み部（２）を設ける数は、ゴルフクラブ（３）等を握ったとき片方の手袋の中で曲げる関節は１４ヶ所であり、さらに最大でも１４ヶ所に設ければ良いのであるが、付加して指の関節以外の場所に設けても差し支えないのである。
【００２２】
切り込み部（２）の形状は、２本の直線をクロスさせた十字形や×字形である方が、関節が盛り上がったとき上に持ち上がりやすいので効果的であるが、２本の曲線をクロスさせても、複数本の直線や曲線をクロスさせたり、並行的に並べて設けても差し支えないのである。
【００２３】
【発明の効果】
本発明は、以上述べてきたような内容で実施され、以下に示すような効果を奏する。
【００２４】
手袋の甲側に切り込み部を設けているので、伸縮性の乏しい革や合成皮革の手袋であっても、ゴルフクラブ等を握ったとき手袋の中の圧迫感が小さくなるのである。
【００２５】
ゴルフクラブやバットを握っても窮屈に感じないので、スムーズにゴルフクラブやバットを握ることができるのである。
【００２６】
関節の部分をくり抜いて窮屈さを解消する手袋に比べて、手の甲の関節部分がむき出しになっていないので寒さが緩和され、壁などにぶつけたり、こすったりしても擦傷しにくいので効果的である。
【００２７】
手袋の甲側に切り込みを入れているだけなので、見た目は普通の手袋とかわりなくファッション性を保てるのである。
【００２８】
手袋の甲側に切り込みを入れているので、暑さを緩和でき、ムレを少なくすることができるのである。
【図面の簡単な説明】
【図１】本発明の実施例図である。
【図２】本発明の使用状態を示す図である。
【図３】本発明の切り込み部の拡大図である。
【符号の説明】
１　手袋
２　切り込み部
３　ゴルフクラブ
【図１】
2004089638.tif 000003
【図２】
2004089638.tif 000004
【図３】
2004089638.tif 000005